(57)【特許請求の範囲】
【請求項１】
所定の配列方向に互いに間隔を空けて配列された２本の野縁と、両野縁の下面に固定される天井ボードと、を備えた天井に設置される動吸振装置であって、
質量体と、
前記質量体の下面に設けられた弾性変形可能な弾性体と、
前記天井ボードが前記２本の野縁に固定される前の状態において前記２本の野縁の間で前記弾性体が前記野縁の下方に突出するように、前記質量体を前記２本の野縁に仮保持するとともに、前記天井ボードが前記２本の野縁に取り付けられることにより前記弾性体および前記質量体が前記天井ボードに載置された状態で上方に持ち上げられて、前記質量体と前記２本の野縁とが非接触となるように、前記質量体の前記２本の野縁への仮保持を解除可能とされた仮保持手段と、
前記弾性体と前記天井ボードとの間に介在し、前記天井ボードと前記弾性体との間の摩擦抵抗よりも小さな摩擦抵抗となる低摩擦手段と
を備える動吸振装置。
【請求項２】
前記弾性体は、前記野縁の延びる方向および／または前記配列方向に間隔をあけて
前記質量体の下面に複数接続され、
複数の前記弾性体のそれぞれと前記天井ボードとの間には、前記低摩擦手段が介在している、
請求項１に記載の動吸振装置。
【請求項３】
前記質量体の下面は、前記野縁の延びる方向および前記配列方向に沿って延びる４辺をもつ矩形形状を有しており、
前記弾性体は、前記質量体の下面の四隅であって前記野縁との間に隙間を許容する位置に分散して配置されている、
請求項２に記載の動吸振装置。
【請求項４】
前記弾性体は、前記野縁の延びる方向に延びる形状をしており、前記２本の野縁の間の中央線を挟み、かつ前記野縁までの距離が前記中央線までの距離よりも近くなるように、前記配列方向に間隔をあけて前記質量体の下面における前記野縁との間に隙間を許容する位置に２本配置されている、
請求項２に記載の動吸振装置。
【請求項５】
前記弾性体は、前記野縁との間に隙間を許容するように前記野縁の延びる方向および前記配列方向に広がって前記質量体の下面の所定の範囲を覆う単一の面を有する形状を有している、
請求項１に記載の動吸振装置。
【請求項６】
前記質量体は、前記２本の野縁の間において前記野縁の側面に対向する対向面を有しており、
前記対向面と前記野縁の側面との距離は、前記弾性体と前記野縁の側面との距離よりも小さくなるように設定されている、
請求項１〜５のいずれか１項に記載の動吸振装置。
【請求項７】
所定の配列方向に互いに間隔を空けて配列された２本の野縁と、
前記野縁の下面に固定される天井ボードと、
前記天井ボードの上面に載置される請求項１〜６のいずれか１項に記載の動吸振装置とを備えている天井。
【請求項８】
前記弾性体が前記天井ボードに対して相対的に水平移動する範囲を規制する規制部をさらに備えている、
請求項７に記載の天井。
【発明の詳細な説明】
【技術分野】
【０００１】
本発明は、動吸振装置およびこれを備えた天井に関する。
【背景技術】
【０００２】
住宅やマンションなどの建物においては、上下階間における床衝撃音の遮音対策として、下層階の天井下地に制振材や動吸振装置などの振動低減手段を組み込む手法が取られることがある。
【０００３】
例えば、特許文献１および２記載の動吸振装置は、いずれも２本の野縁の下面に固定される天井ボードの上面に載置されて使用される装置であり、具体的には、質量体と、質量体の下面に設けられた弾性体とを備えている。
【０００４】
天井ボードが２本の野縁の下面に固定された状態では、弾性体は、天井ボードの上面に当接しており、質量体および弾性体からなる動吸振装置が天井ボードの上面に自立した状態になる。したがって、天井ボードの振動は、質量体および弾性体によって構成される振動系の共振を利用して減衰される。
【先行技術文献】
【特許文献】
【０００５】
【特許文献１】特開２０１８−０２８１７７号公報
【特許文献２】特開２０１８−１２３６６９号公報
【発明の概要】
【発明が解決しようとする課題】
【０００６】
上記の動吸振装置では、天井ボードの上面に弾性体が当接している。天井ボードは、一般的には石膏ボードなどの表面が粗いボードであり、天井ボードと弾性体との間の摩擦抵抗が大きい。そのため、天井ボードの施工時、すなわち、天井ボードを２本の野縁の下面に固定する作業の際に、天井ボードの水平位置の微調整のために天井ボードを水平方向にずらすと、動吸振装置の弾性体も天井ボードに追随して水平方向に動いてしまい、弾性体が変形するおそれがある。
【０００７】
弾性体が変形すると、動吸振装置の共振周波数が設計時の共振周波数からずれてしまい、動吸振装置の振動低減効果が低下するという問題がある。
【０００８】
本発明は、上記課題に鑑みてなされたものであり、天井ボード施工時における弾性体の変形を防止し、振動低減性能の低下を防ぐことが可能な動吸振装置およびこれを備えた天井を提供することである。
【課題を解決するための手段】
【０００９】
本発明の動吸振装置は、所定の配列方向に互いに間隔を空けて配列された２本の野縁と、両野縁の下面に固定される天井ボードと、を備えた天井に設置される動吸振装置であって、質量体と、前記質量体の下面に設けられた弾性変形可能な弾性体と、前記天井ボードが前記２本の野縁に固定される前の状態において前記２本の野縁の間で前記弾性体が前記野縁の下方に突出するように、前記質量体を前記２本の野縁に仮保持するとともに、前記天井ボードが前記２本の野縁に取り付けられることにより前記弾性体および前記質量体が前記天井ボードに載置された状態で上方に持ち上げられて、前記質量体と前記２本の野縁とが非接触となるように、前記質量体の前記２本の野縁への仮保持を解除可能とされた仮保持手段と、前記弾性体と前記天井ボードとの間に介在し、前記天井ボードと前記弾性体との間の摩擦抵抗よりも小さな摩擦抵抗となる低摩擦手段とを備えることを特徴とする。
【００１０】
かかる構成によれば、低摩擦手段が弾性体と天井ボードとの間に介在しているので、天井ボードを２本の野縁の下面に固定する施工作業において、弾性体が天井ボードの上面に載置した状態で当該天井ボードの水平位置を微調整する際に天井ボードを水平方向に移動させても、弾性体が滑って天井ボードに追随しにくくなる。それによって、弾性体の変形を防止し、動吸振装置の振動低減性能の低下を防ぐことが可能である。
【００１１】
上記の動吸振装置において、前記弾性体は、前記野縁の延びる方向および／または前記配列方向に間隔をあけて前記質量体の下面に複数接続され、複数の前記弾性体のそれぞれと前記天井ボードとの間には、前記低摩擦手段が介在しているのが好ましい。
【００１２】
かかる構成によれば、複数の弾性体が野縁の延びる方向および／または前記野縁の配列方向に間隔をあけて配置されているので、大きな重量の質量体を複数の弾性体によってバランスよく支持することが可能であり、しかも、弾性体同士の接触を避けることが可能である。さらに、複数の弾性体のそれぞれと天井ボードとの間には、低摩擦手段が介在しているので、天井ボードの施工時において複数の弾性体のそれぞれの変形を防止することが可能である。
【００１３】
上記の動吸振装置において、前記質量体の下面は、前記野縁の延びる方向および前記配列方向に沿って延びる４辺をもつ矩形形状を有しており、前記弾性体は、前記質量体の下面の四隅であって前記野縁との間に隙間を許容する位置に分散して配置されているのが好ましい。
【００１４】
かかる構成によれば、弾性体が質量体の矩形形状の下面の四隅であって野縁との間に隙間を許容する位置、すなわち野縁の近傍の位置に分散して配置されているので、大きな重量の質量体を複数の弾性体によってバランスよく支持することが可能である。また、弾性体は、野縁の近傍の位置に配置されていても、上記のように低摩擦手段によって弾性体の変形が防止されているので、天井ボードの施工時において弾性体が変形して野縁に接触することを回避し、それによって動吸振装置の振動低減性能の大幅な低下を防ぐことが可能である。
【００１５】
上記の動吸振装置において、前記弾性体は、前記野縁の延びる方向に延びる形状をしており、前記２本の野縁の間の中央線を挟み、かつ前記野縁までの距離が前記中央線までの距離よりも近くなるように、前記配列方向に間隔をあけて前記質量体の下面における前記野縁との間に隙間を許容する位置に２本配置されているのが好ましい。
【００１６】
かかる構成によれば、弾性体が野縁の延びる方向に延びる長細い形状をしており、２本の野縁の間の中央線を挟み、かつ野縁までの距離が中央線までの距離よりも近くなるように、野縁の配列方向に間隔をあけて質量体の下面における野縁との間に隙間を許容する位置、すなわち、野縁の近傍の位置に２本配置されているので、大きな重量の質量体を２本の長細い弾性体によってよりバランスよく支持することが可能である。また、２個の長細い弾性体は、野縁の近傍の位置に配置されていても、上記のように低摩擦手段によって弾性体の変形が防止されているので、天井ボードの施工時において弾性体が変形して野縁に接触することを回避し、それによって動吸振装置の振動低減性能の大幅な低下を防ぐことが可能である。
【００１７】
上記の動吸振装置において、前記弾性体は、前記野縁との間に隙間を許容するように前記野縁の延びる方向および前記配列方向に広がって前記質量体の下面の所定の範囲を覆う単一の面を有する形状を有しているのが好ましい。
【００１８】
かかる構成によれば、弾性体が前記野縁との間に隙間を許容するように前記野縁の延びる方向および前記配列方向に広がって前記質量体の下面の所定の範囲を覆う単一の面を有する形状を有しているので、大きな重量の質量体を大面積の単一の面を有する１個の弾性体によってよりバランスよく支持することが可能である。また、大面積の単一の面を有する１個の弾性体は、野縁との間に隙間を許容するように野縁の近傍まで広がっていても、上記のように低摩擦手段によって弾性体の変形が防止されているので、天井ボードの施工時において弾性体が変形して野縁に接触することを回避し、それによって動吸振装置の振動低減性能の大幅な低下を防ぐことが可能である。
【００１９】
上記の動吸振装置において、前記質量体は、前記２本の野縁の間において前記野縁の側面に対向する対向面を有しており、前記対向面と前記野縁の側面との距離は、前記弾性体と前記野縁の側面との距離よりも小さくなるように設定されているのが好ましい。
【００２０】
かかる構成によれば、前記質量体は、前記２本の野縁の間において前記野縁の側面に対向する対向面を有しており、前記対向面と前記野縁の側面との距離は、前記弾性体と前記野縁の側面との距離よりも小さくなるように設定されているので、天井ボードの施工時において弾性体および質量体が野縁の配列方向に水平移動しても、質量体の対向面が弾性体よりも先に野縁に接触するので、弾性体が野縁に接触することをより確実に回避し、それによって動吸振装置の振動低減性能の大幅な低下を防ぐことが可能である。
【００２１】
本発明の天井は、所定の配列方向に互いに間隔を空けて配列された２本の野縁と、前記野縁の下面に固定される天井ボードと、前記天井ボードの上面に載置される上記の動吸振装置とを備えていることを特徴とする。
【００２２】
上記天井では、天井ボードを２本の野縁の下面に固定する施工作業において、動吸振装置を天井ボードの上面に載置するだけでよく、動吸振装置を天井ボードにブラケットなどの固定部材を用いて取り付ける作業が必要ない。したがって、天井ボードの施工作業を容易に行うことが可能である。また、低摩擦手段が弾性体と天井ボードとの間に介在しているので、天井ボードの施工の際に、弾性体が天井ボードの上面に載置した状態で当該天井ボードの水平位置を微調整する際に天井ボードを水平方向に移動させても、弾性体が滑って天井ボードに追随しにくくなる。それによって、弾性体の変形を防止し、動吸振装置の振動低減性能の低下を防ぐことが可能である。
【００２３】
上記の天井において、前記弾性体が前記天井ボードに対して相対的に水平移動する範囲を規制する規制部をさらに備えているのが好ましい。
【００２４】
かかる構成によれば、規制部によって、弾性体が前記天井ボードに対して相対的に水平移動する範囲を規制することが可能であり、天井ボードの施工時における弾性体の変形をより確実に防止することが可能である。
【発明の効果】
【００２５】
本発明によれば、天井ボード施工時における弾性体の変形を防止し、振動低減性能の低下を防ぐことが可能な動吸振装置およびこれを備えた天井を提供することができる。
【図面の簡単な説明】
【００２６】
【図１】本発明の実施形態に係る動吸振装置を備えた天井の上方から見た構造を示す斜視図である。
【図２】図１の天井を天井ボードから取り外した状態で下方から見た構造を示す斜視図である。
【図３】図１の動吸振装置が２本の野縁に仮保持された状態を野縁の延びる方向から見た図である。
【図４】図３の動吸振装置を下方から見た図である。
【図５】図１の天井における天井ボードを２本の野縁の下面に固定する施工作業を示す断面説明図である。
【図６】本発明の比較例として低摩擦手段を有しない従来の動吸振装置を適用した天井において、天井ボードの施工時に弾性体が変形している状態を示す断面説明図である。
【図７】本発明の変形例に係る２本の長細い弾性体を備えた動吸振装置を下方から見た図である。
【図８】本発明の他の変形例に係る大型の弾性体を１個備えた動吸振装置を下方から見た図である。
【図９】本発明のさらに他の変形例に係る弾性体が天井ボードに対して相対的に水平移動する範囲を規制する規制部を備えた動吸振装置を下方から見た図である。
【発明を実施するための形態】
【００２７】
以下、図面に基づいて、本発明の実施形態につき詳細に説明する。
【００２８】
図１〜２に示される天井２０は、所定の配列方向Ｄ１に互いに間隔を空けて配列された複数本の野縁２と、これらの野縁２を受ける野縁受３と、複数本の床梁４と、野縁２の下面２ｂ（図５参照）に固定される天井ボード５と、天井ボード５の上面に載置される複数の動吸振装置１とを備えている。
【００２９】
野縁２は、細長い構造材であり、床梁４の配列方向と直交する配列方向Ｄ１に互いに間隔を空けて平行に配列されている。野縁２は、例えば、中空部が設けられた四角柱状の細長い金属製の筒状体などによって構成される。
【００３０】
野縁受３は、細長い構造材であり、複数の野縁２のそれぞれの上面に配置されている。野縁受３は、各野縁２に直交し、かつ野縁２に対して格子状に組み付けられている。野縁受３は、例えば、一方に開口したコの字状の細長い金属製の柱状体によって構成される。
【００３１】
床梁４は、上層階の床を支えるためのものであり、一方向に延びるスチールなどからなる構造材（例えば、Ｈ鋼）である。床梁４は、図１に示すように、野縁２に直交するように互いに間隔を空けて平行に配列されている。
【００３２】
複数の動吸振装置１は、野縁２の延びる方向Ｄ２に互いに間隔をあけて配置されている。以下、動吸振装置１の具体的構成について説明する。
【００３３】
図３〜４に示されるように、動吸振装置１は、質量体６と、質量体６の下面６ａに設けられた弾性変形可能な弾性体７と、質量体６を２本の野縁２に仮保持する仮保持手段（本実施形態では、突起部９）と、弾性体７と天井ボード５との間に介在する低摩擦手段（本実施形態では、低摩擦シート８）とを備える。
【００３４】
質量体６は、ある程度の重量を有する金属などからなり、例えば、金属や石膏などからなる板状体などが用いられる。本実施形態の質量体６は、２本の野縁２の間に配置された本体部１０と、本体部１０から配列方向Ｄの両側に突出する後述の突起部９とを有している。質量体６の本体部１０は、野縁の延びる方向Ｄ２および配列方向Ｄ１に沿って延びる４辺をもつ矩形形状の下面６ａと、２本の野縁２の間において野縁２の側面２ｃに対向する対向面６ｂとを有している。矩形形状の下面６ａは、２本の野縁２の間の幅よりも若干小さい幅を有する。
【００３５】
図３に示されるように、対向面６ｂと野縁２の側面２ｃとの距離ｔ１は、弾性体７と野縁２の側面２ｃとの距離ｔ２よりも小さくなるように設定されている。
【００３６】
弾性体７は、質量体６や天井ボード５よりも弾性変形可能な性質を有する材料からなり、例えば、ウレタン、発泡ゴム、またはグラスウールなどによって製造される。
【００３７】
本実施形態では、図２および図４に示されるように、弾性体７は、野縁２の延びる方向Ｄ２および／または配列方向Ｄ１に間隔をあけて質量体６の下面６ａに複数接続されている。さらに具体的には、図４に示される本実施形態の弾性体７は、質量体６の下面６ａの四隅であって野縁２との間に隙間を許容する位置に分散して配置されている。
【００３８】
仮保持手段は、天井ボード５が２本の野縁２に固定される前の状態において、弾性体７が野縁２の下方に突出するように質量体６を２本の野縁２に仮保持する機能を有するものであればよい。本実施形態では仮保持手段として、質量体６の本体部１０における上端において配列方向Ｄの両側に突出する突起部９が用いられている。
【００３９】
突起部９は、質量体６の本体部１０における上端において配列方向Ｄ１の両側に突出しているので、図３に示されるように、天井ボード５が２本の野縁２に固定される前の状態では、野縁２の上面２ａに当接する。これにより、２本の野縁２の間で弾性体７が野縁２の下方に突出するように質量体６を２本の野縁２に仮保持することが可能である。一方、図５に示されるように、天井ボード５が２本の野縁２に取り付けられることにより、弾性体７および質量体６が天井ボード５に載置されるとともに上方に持ち上げられ、これにより、突起部９による質量体６の仮保持が解除され、野縁２と質量体６とが非接触となる。
図３に示される突起部９は、質量体６と一体形成されているが、質量体６と別部材であってもよい。また、突起部９以外にも、質量体６を野縁２に仮保持可能なものであれば、本発明の仮保持手段として用いられる。
【００４０】
低摩擦手段は、弾性体７と天井ボード５との間に介在し、天井ボード５と弾性体７との間の摩擦抵抗よりも小さな摩擦抵抗を有するものであればよく、低摩擦手段の設置面は天井ボード５または弾性体７のいずれでもよい。本実施形態では、低摩擦手段として、低摩擦シート８が用いられている。
【００４１】
低摩擦シート８は、フッ素樹脂（例えば、テフロン（登録商標））シートなどからなり、複数の弾性体７のそれぞれの下面７ａに接着などによって固定され、それによって、天井ボード５と弾性体７との間の摩擦抵抗よりも小さな摩擦抵抗を、低摩擦シート８を固定した弾性体７と天井ボード５との間に与える。
【００４２】
上記のように構成された本実施形態の動吸振装置１は、複数の弾性体７のそれぞれと天井ボード５との間に介在する低摩擦シート８を備えている。これにより、図５に示されるように、動吸振装置１を野縁２に仮保持した後に天井ボード５を下方から取り付ける際に、天井ボード５を水平方向（例えば、野縁２の配列方向Ｄ１またはそれに直交する野縁２の延びる方向Ｄ２）にわずかにずらして微修正しても、弾性体７と天井ボード５との間に介在する低摩擦シート８が弾性体７と天井ボード５との間の摩擦抵抗を低減しているので、弾性体７が滑って天井ボード５に追随しにくくなり、弾性体７の変形を防止することが可能である。さらに、弾性体７がその周囲にある野縁２に接触することも防止することが可能である。
【００４３】
（本実施形態の特徴）
（１）
本実施形態の動吸振装置１は、所定の配列方向Ｄ１に互いに間隔を空けて配列された２本の野縁２と、両野縁２の下面２ｂに固定される天井ボード５と、を備えた天井２０に設置される。動吸振装置１は、質量体６と、質量体６の下面６ａに設けられた弾性変形可能な弾性体７と、天井ボード５が２本の野縁２に固定される前の状態において２本の野縁２の間で弾性体７が野縁２の下方に突出するとともに天井ボード５が２本の野縁２に取り付けられることにより弾性体７が天井ボード５に載置されるように、質量体６を２本の野縁２に仮保持する仮保持手段である突起部９と、弾性体７と天井ボード５との間に介在し、天井ボード５と弾性体７との間の摩擦抵抗よりも小さな摩擦抵抗となる低摩擦手段である低摩擦シート８とを備える。
【００４４】
この構成によれば、低摩擦シート８が弾性体７と天井ボード５との間に介在しているので、図５に示されるように、天井ボード５を２本の野縁２の下面２ｂに固定する施工作業において、弾性体７が天井ボード５の上面に載置した状態で当該天井ボード５の水平位置を微調整する際に天井ボード５を水平方向に移動させても、弾性体７が滑って天井ボード５に追随しにくくなる。それによって、弾性体７の変形を防止し、動吸振装置１の振動低減性能の低下を防ぐことが可能である。
【００４５】
ここで、比較例として、図６に示されるように、低摩擦手段（低摩擦シート８）を備えていない動吸振装置の場合を考える。この比較例の動吸振装置では、天井ボード５の施工作業において、弾性体７が天井ボード５の上面に直接当接した状態で当該天井ボード５の水平位置を微調整するので、天井ボード５を水平方向に移動させれば、弾性体７と天井ボード５との間で発生する大きな摩擦抵抗によって、弾性体７が天井ボード５に追随して水平方向へ移動し、それによって、弾性体７が変形するという不具合が生じる。
【００４６】
この図６の比較例と見比べれば、図５に示される本実施形態では、弾性体７と天井ボード５との間に介在する低摩擦シート８が、弾性体７と天井ボード５との間の摩擦抵抗を低減し、それにより、弾性体７の変形防止ならびに動吸振装置１の振動低減性能の低下防止に寄与していることが理解される。
【００４７】
（２）
本実施形態の動吸振装置１では、図４に示されるように、弾性体７は、野縁２の延びる方向Ｄ２および／または配列方向Ｄ１に間隔をあけて質量体６の下面６ａに複数接続されている。複数の弾性体７のそれぞれと天井ボード５との間には、低摩擦シート８が介在している。
【００４８】
この構成によれば、複数の弾性体７が野縁２の延びる方向Ｄ２および／または野縁２の配列方向Ｄ１に間隔をあけて配置されているので、大きな重量の質量体６を複数の弾性体７によってバランスよく支持することが可能であり、しかも、弾性体７同士の接触を避けることが可能である。さらに、複数の弾性体７のそれぞれと天井ボード５との間には、低摩擦シート８が介在しているので、天井ボード５の施工時において複数の弾性体７のそれぞれの変形を防止することが可能である。
【００４９】
（３）
本実施形態の動吸振装置１では、図４に示されるように、質量体６の下面６ａは、野縁の延びる方向Ｄ２および配列方向Ｄ１に沿って延びる４辺をもつ矩形形状を有している。また、弾性体７は、質量体６の下面６ａの四隅であって野縁２との間に隙間を許容する位置に分散して配置されている。
【００５０】
この構成によれば、弾性体７が質量体６の矩形形状の下面６ａの四隅であって野縁２との間に隙間を許容する位置、すなわち野縁２の近傍の位置に分散して配置されているので、大きな重量の質量体６を複数の弾性体７によってバランスよく支持することが可能である。また、弾性体７は、野縁２の近傍の位置に配置されていても、上記のように低摩擦シート８によって弾性体７の変形が防止されているので、天井ボード５の施工時において弾性体７が変形して野縁２に接触することを回避し、それによって動吸振装置１の振動低減性能の大幅な低下を防ぐことが可能である。
【００５１】
（４）
本実施形態の動吸振装置１では、図３に示されるように、質量体６は、２本の野縁２の間において野縁２の側面２ｃに対向する対向面６ｂを有している。対向面６ｂと野縁２の側面２ｃとの距離ｔ１は、弾性体７と野縁２の側面２ｃとの距離ｔ２よりも小さくなるように設定されている。
【００５２】
この構成によれば、質量体６は、２本の野縁２の間において野縁２の側面２ｃに対向する対向面６ｂを有しており、対向面６ｂと野縁２の側面２ｃとの距離は、弾性体７と野縁２の側面２ｃとの距離よりも小さくなるように設定されているので、天井ボード５の施工時において弾性体７および質量体６が野縁２の配列方向Ｄ１に水平移動しても、質量体６の対向面６ｂが弾性体７よりも先に野縁２に接触するので、弾性体７が野縁２に接触することをより確実に回避し、それによって動吸振装置１の振動低減性能の大幅な低下を防ぐことが可能である。
【００５３】
（５）
本実施形態の天井２０は、所定の配列方向Ｄ１に互いに間隔を空けて配列された２本の野縁２と、野縁２の下面２ｂに固定される天井ボード５と、天井ボード５の上面に載置される本実施形態の動吸振装置１とを備えている。
【００５４】
本実施形態の天井２０では、天井ボード５を２本の野縁２の下面２ｂに固定する施工作業において、動吸振装置１を天井ボード５の上面に載置するだけでよく、動吸振装置１を天井ボード５にブラケットなどの固定部材を用いて取り付ける作業が必要ない。したがって、天井ボード５の施工作業を容易に行うことが可能である。また、低摩擦シート８が弾性体７と天井ボード５との間に介在しているので、天井ボード５の施工の際に、弾性体７が天井ボード５の上面に載置した状態で当該天井ボード５の水平位置を微調整する際に天井ボード５を水平方向に移動させても、弾性体７が滑って天井ボード５に追随しにくくなる。それによって、弾性体７の変形を防止し、動吸振装置１の振動低減性能の低下を防ぐことが可能である。
【００５５】
（変形例）
（Ａ）
上記実施形態では、弾性体７と天井ボード５との間に介在し、天井ボード５と弾性体７との間の摩擦抵抗よりも小さな摩擦抵抗となる本発明の低摩擦手段の一例として、弾性体７の下面７ａに接着された低摩擦シート８が例に挙げて説明されているが、本発明はこれに限定されるものではない。
【００５６】
したがって、低摩擦シート８などの低摩擦手段は、弾性体７の下面７ａに設けられる形態だけでなく、天井ボード５の上面に設けられていてもよい。また、低摩擦部材は、弾性体７及び天井ボード５に固定されることなく、弾性体７と天井ボード５との間に設けられていてもよい。
【００５７】
さらに、本発明の低摩擦手段は、低摩擦シートに限定されるものではなく、天井ボード５と弾性体７との間の摩擦抵抗よりも小さな摩擦抵抗となる手段であればよく、低摩擦手段の設置場所は天井ボード５および弾性体７のいずれでもよい。したがって、本発明の低摩擦手段の他の例として、天井ボード５と弾性体７との互いに対向する面のうちの少なくとも一方の面において滑りやすい被膜（コーティング）を形成したり、または天井ボード５の上面の一部を滑りやすくする平滑化処理したりしたものなどであってもよい。
【００５８】
以上のように、本発明の低摩擦手段は、低摩擦手段は、弾性体７と天井ボード５との間の摩擦抵抗を低減することが可能であればよく、高い製造コストをかけずに動吸振装置の性能低下を防ぐことが可能である。
【００５９】
なお、本発明の動吸振装置は、天井ボード５の上に載置される形態であればよく、動吸振装置の形状についてはとくに限定されない。
【００６０】
（Ｂ）
上記実施形態では、図４に示されるように、４個の弾性体７が質量体６の下面６ａに分散配置されている例が示されているが、弾性体７の配置ならびに形状はこれに限定されるものではない。
【００６１】
図７に示されるように、本発明の動吸振装置の変形例として、弾性体７は、野縁２の延びる方向Ｄ２に延びる形状をしており、２本の野縁２の間の中央線ＣＬを挟み、かつ野縁２までの距離ｄ１が中央線ＣＬまでの距離ｄ２よりも近くなるように、配列方向Ｄ１に間隔をあけて質量体６の下面６ａにおける野縁２との間に隙間を許容する位置に２本配置されていてもよい。
【００６２】
この構成によれば、弾性体７が野縁２の延びる方向Ｄ２に延びる長細い形状をしており、２本の野縁２の間の中央線ＣＬを挟み、かつ野縁２までの距離ｄ１が中央線ＣＬまでの距離ｄ２よりも近くなるように、野縁２の配列方向Ｄ１に間隔をあけて質量体６の下面６ａにおける野縁２との間に隙間を許容する位置、すなわち、野縁２の近傍の位置に２本配置されているので、大きな重量の質量体６を２本の長細い弾性体７によってよりバランスよく支持することが可能である。また、２個の長細い弾性体７は、野縁２の近傍の位置に配置されていても、各弾性体７と天井ボード５との間には低摩擦シート８が介在しており、上記のように低摩擦シート８によって弾性体７の変形が防止されているので、天井ボード５の施工時において弾性体７が変形して野縁２に接触することを回避し、それによって動吸振装置１の振動低減性能の大幅な低下を防ぐことが可能である。
【００６３】
（Ｃ）
図８に示されるように、本発明の動吸振装置の他の変形例として、弾性体７は、野縁２との間に隙間を許容するように野縁２の延びる方向Ｄ２および配列方向Ｄ１に広がって質量体６の下面６ａの所定の範囲を覆う単一の面を有する形状を有していてもよい。
【００６４】
この構成によれば、弾性体７が野縁２との間に隙間を許容するように野縁２の延びる方向Ｄ２および配列方向Ｄ１に広がって質量体６の下面６ａの所定の範囲を覆う単一の面を有する形状を有しているので、大きな重量の質量体６を大面積の単一の面を有する１個の弾性体７によってよりバランスよく支持することが可能である。また、大面積の単一の面を有する１個の弾性体７は、野縁２との間に隙間を許容するように野縁２の近傍まで広がっていても、上記のように弾性体７と天井ボード５との間には低摩擦シート８が介在しており、低摩擦シート８によって弾性体７の変形が防止されているので、天井ボード５の施工時において弾性体７が変形して野縁２に接触することを回避し、それによって動吸振装置１の振動低減性能の大幅な低下を防ぐことが可能である。
【００６５】
（Ｄ）
図９に示されるように、本発明の天井の変形例として、天井２０は、弾性体７が天井ボード５に対して相対的に水平移動する範囲を規制する規制部１１、１２をさらに備えていてもよい。
【００６６】
具体的には、規制部１１は、天井ボード５の上面において、弾性体７の載置位置の周辺部に設けられている。規制部１１は、天井ボード５の上面に接着などによって固定された突起または低摩擦シート８よりも高い摩擦抵抗を生じるゴムなどの部材などによって構成される。
【００６７】
また、規制部１２は、野縁２における質量体６に対向する側面に設けられている。規制部１２は、野縁２の側面に設けられた突起などによって構成され、質量体６と当接することによって、弾性体７が天井ボード５に対して相対的に水平移動する範囲を規制することが可能である。
【００６８】
上記の図９の構成によれば、規制部１１、１２によって、弾性体７が天井ボード５に対して相対的に水平移動する範囲を規制することが可能であり、天井ボード５の施工時における弾性体７の変形をより確実に防止することが可能である。
【００６９】
今回開示された実施形態は、全ての点で例示であって、制限的なものではないと解されるべきである。本発明の範囲は、上記した説明ではなくて特許請求の範囲により示され、特許請求の範囲と均等の意味および範囲内での全ての変更が含まれることが意図される。
【符号の説明】
【００７０】
１  動吸振装置
２  野縁
２ｂ  下面
２ｃ  側面
５  天井ボード
６  質量体
６ａ  対向面
７  弾性体
８  低摩擦シート（低摩擦手段）
９  突起部（仮保持手段）
１０  本体部
１１、１２  規制部
２０  天井
【図１】
0006977076.tif 000002
【図２】
0006977076.tif 000003
【図３】
0006977076.tif 000004
【図４】
0006977076.tif 000005
【図５】
0006977076.tif 000006
【図６】
0006977076.tif 000007
【図７】
0006977076.tif 000008
【図８】
0006977076.tif 000009
【図９】
0006977076.tif 000010